(57)【特許請求の範囲】
【請求項１】
スキー場のゲレンデにＬＥＤ照明を配設し、商用電源から地中に埋設した電力線を介してコンバータに電力を供給し、該コンバーターから前記ＬＥＤ照明へ通電する電気回路を有するゲレンデ照明装置において、前記電気回路は、前記電力線の電力線埋設区間と前記コンバーターとの間に第２電磁接触器を備え、前記コンバーターと前記ＬＥＤ照明との間に第３電磁接触器とを備え、前記ＬＥＤ照明と該ＬＥＤ照明の接地との間に第４電磁接触器を備えたことを特徴とするスキー場のゲレンデ照明装置。
【請求項２】
請求項１に記載のＬＥＤ照明に加え、スキー場のゲレンデにＬＥＤ照明以外の照明を配設し、前記電力線埋設区間と前記ＬＥＤ照明以外の照明との間に第５電磁接触器を備え、前記ＬＥＤ照明以外の照明と該ＬＥＤ照明以外の照明の接地との間に第６電磁接触器を備えたことを特徴とする請求項１に記載のスキー場のゲレンデ照明装置。
【請求項３】
請求項２に記載の電気回路において、前記商用電源と前記電力線埋設区間との間に発電機を接続し、該発電機から前記電力線へ接続された接続点と前記商用電源との間に第１遮断器を備え、前記接続点と前記発電機との間に第２遮断器を備えたことを特徴とする請求項２に記載のスキー場のゲレンデ照明装置。
【発明の詳細な説明】
【技術分野】
【０００１】
本発明は、スキー場のナイター営業時に夜間照明として使用されるスキー場のゲレンデ照明装置に関する。
【背景技術】
【０００２】
ナイター営業を行うスキー場においては、スキーコースの両脇に支柱を立設するとともに、この上部に光源を備えてゲレンデを照射し、スキーヤーやスノーボーダーの視界を確保している（例えば、特許文献１参照）。上記の光源としては、一般的に水銀灯が用いられており、この水銀灯への電力供給は、ゲレンデの地中に埋設した電力線を介して行われている。
【０００３】
近時、省エネルギーや二酸化炭素削減の観点から、照明としてＬＥＤ照明を採用することが普及してきており、ゴルフ場や野球場などの大型施設においてもナイター設備にＬＥＤ照明を採用することが増えてきている。このため、スキー場における既設のナイター設備においても、従来の水銀灯に替えてＬＥＤ照明を使用したいという要望がある。
【先行技術文献】
【特許文献】
【０００４】
【特許文献１】実開平１−１００３０７号公報
【発明の概要】
【発明が解決しようとする課題】
【０００５】
しかしながら、ＬＥＤ照明及びこれを制御する制御機器は、多数の半導体を使用した電気機器であって、落雷によって発生する雷サージの影響を受けやすいという難点がある。すなわち、スキー場は標高が高い山岳地帯に位置するため、平地に比べて雷の発生が多く、また落雷も起きやすい。上記したように、ゲレンデの照明への電力供給は、地中に埋設した電力線を介して行われるため、地面や木に落雷した場合には、電力線に誘導雷サージが生じ易く、また、接地からの雷サージも進入し易いため、雷サージによりＬＥＤ照明や制御機器が損傷してしまう虞がある。
【０００６】
本発明は、このような事情に鑑みてなされたものであって、雷サージの影響を極力受けないようにするスキー場のゲレンデ照明装置の提供を目的とする。
【課題を解決するための手段】
【０００７】
請求項１記載の発明は、スキー場のゲレンデにＬＥＤ照明を配設し、商用電源から地中に埋設した電力線を介してコンバータに電力を供給し、該コンバーターから前記ＬＥＤ照明へ通電する電気回路を有するゲレンデ照明装置において、前記電気回路は、前記電力線の電力線埋設区間と前記コンバーターとの間に第２電磁接触器を備え、前記コンバーターと前記ＬＥＤ照明との間に第３電磁接触器とを備え、前記ＬＥＤ照明と該ＬＥＤ照明の接地との間に第４電磁接触器を備えたことを特徴としている。
【０００８】
請求項２記載の発明は、請求項１に記載のＬＥＤ照明に加え、スキー場のゲレンデにＬＥＤ照明以外の照明を配設し、前記電力線埋設区間と前記ＬＥＤ照明以外の照明との間に第５電磁接触器を備え、前記ＬＥＤ照明以外の照明と該ＬＥＤ照明以外の照明の接地との間に第６電磁接触器を備えたことを特徴としている。
【０００９】
請求項３記載の発明は、請求項２に記載の電気回路において、前記商用電源と前記電力線埋設区間との間に発電機を接続し、該発電機から前記電力線へ接続された接続点と前記商用電源との間に第１遮断器を備え、前記接続点と前記発電機との間に第２遮断器を備えたことを特徴としている。
【発明の効果】
【００１０】
本発明によれば、照明を使用しないとき、及び雷が発生したときには、コンバーター及びＬＥＤ照明が電気回路から切り離されるので、電力線に発生した雷サージや接地からの雷サージからコンバーター及びＬＥＤ照明を保護することができる。
【図面の簡単な説明】
【００１１】
【図１】スキー場のゲレンデを示した図
【図２】第１の実施形態を示す電源とＬＥＤ照明との間の単線結線図
【図３】第２の実施形態を示す電源とＬＥＤ照明との間の単線結線図
【図４】第３の実施形態を示す電源とＬＥＤ照明との間の単線結線図
【発明を実施するための形態】
【００１２】
以下、本発明の具体的な実施の形態を図面を参照して説明する。図１は、スキー場のゲレンデ４０を示した図である。ゲレンデ４０には、滑走コース１０の両脇に沿って複数の支柱１１が立設されており、この支柱１１の上部には、１又は複数のＬＥＤ照明１２を備えている。各ＬＥＤ照明１２への電力供給は、管理棟１３から各支柱１１に向けて地中に埋設して配線された電力線１４により行われる。管理棟１３では、電力の供給又は遮断の操作が係員によって行われ、昼間は電力を遮断してＬＥＤ照明１２を消灯し、夜間には電力を供給してＬＥＤ照明１２を点灯させてナイター営業を行う。
【００１３】
図２は、第１の実施形態を示す電源とＬＥＤ照明との間の単線結線図である。図において、２０は商用電源、２１は第１遮断器、２２は第１電磁接触器、２３は第２電磁接触器、２４は交流電源を直流に変換するコンバーター、２５は第３電磁接触器、２６は第４電磁接触器、２７は接地、２８は電力線埋設区間である。第１電磁接触器２２は商用電源２０側と電力埋設区間２８との間の回路を開閉するようになっており、第２電磁接触器２３は、電力線埋設区間２８を経た後の電力線１４とコンバーター２４との間の回路を開閉するようになっている。また、第３電磁接触器２５は、コンバーター２４とＬＥＤ照明１２との間の回路を開閉するようになっており、第４電磁接触器２６は、ＬＥＤ照明１２と接地２７との間の回路を開閉するようになっている。第２電磁接触器２３から接地２７までの回路は、各支柱１１毎に同様に構成されている。
【００１４】
以上の電気回路により、第１遮断器２１及び各電磁接触器２２、２３、２５、２６を閉とすることにより、商用電源２０から各ＬＥＤ照明１２へ通電されてＬＥＤ照明１２が点灯する。次ぎに、昼間やスキーシーズン以外のときにゲレンデ４０の照明を使用しない場合には、図２に示したように第１遮断器２１及び各電磁接触器２２、２３、２５、２６を開とする。これにより、コンバーター２４とＬＥＤ照明１２は、電力線１４及び接地２７から回路を切り離されて、照明不使用時に雷や落雷が発生しても電力線１４側及び接地２７側からの雷サージの影響を受けづらくなる。
【００１５】
図３は、第２の実施形態を示す電源とＬＥＤ照明及び水銀灯との間の単線結線図である。第２の実施形態は、第１の実施形態に加えて水銀灯やメタルハライドランプなどのＬＥＤ照明以外の照明も使用する実施形態である。この実施形態は、例えば水銀灯などを用いた従来の照明設備をＬＥＤ照明設備に改修する場合に従来の照明設備を撤去せず、一部又は全部の従来設備とＬＥＤ照明設備とを混在させる場合等に採用することができる。
【００１６】
図３において、ＬＥＤ照明１２側の回路構成は第１の実施形態と同一であって同一符号を付してあり、これに加えて電力線１４には、第５電磁接触器２９を介して水銀灯３０が接続されるとともに、水銀灯３０は第６電磁接触器３１を介して接地３２へ接続される。この構成により通常のナイター営業時には、第１遮断器２１及び第１電磁接触器２２、第２電磁接触器２３、第３電磁接触器２５、第４電磁接触器２６を閉としてＬＥＤ照明１２に通電し、第５電磁接触器２９と第６電磁接触器３１を開として水銀灯３０は消灯しておく。このようにして通常のナイター営業時には、消費電力が少ないＬＥＤ照明１２で営業を行う。
【００１７】
次ぎに、ナイター営業中に雷の発生を検知したり雷警報を受けた場合には、第２電磁接触器２３、第３電磁接触器２５、第４電磁接触器２６を開としてＬＥＤ照明１２を消灯するとともに、第５電磁接触器２９及び第６電磁接触器３１を閉として水銀灯３０を点灯させる。このようにすることで、雷サージがＬＥＤ照明１２及びコンバーター２４へ影響を及ぼす可能性を減少させるとともに、水銀灯３０によってゲレンデ４０の照明を確保することができる。次ぎに、昼間やスキーシーズン以外のときにゲレンデ４０の照明を使用しない場合には、第１の実施形態と同様に第１遮断器２１、及び各電磁接触器２２、２３、２５、２６、２９、３１を開として、ＬＥＤ照明１２とコンバーター２４及び水銀灯３０を雷サージから保護する。
【００１８】
図４は、第３の実施形態を示す電源とＬＥＤ照明と水銀灯との間の単線結線図である。第３の実施形態は、第２の実施形態の回路構成に加えて電源側に発電機３３を備えた構成である。発電機３３は、内燃機関等の駆動力によって発電を行うものであり、第２遮断器３４を介して電力線１４に接続されている。通常の照明点灯時には、第１遮断器２１及び各電磁接触器２２、２３、２５、２６を閉として商用電源２０からＬＥＤ照明１２又は水銀灯３０へ電力を供給する。
【００１９】
商用電源２０が停電した場合には、発電機３３を起動するとともに、商用電源２０側の第１遮断器２１を開とし、発電機３３側の第２遮断器３４を閉とする。ここで、第１遮断器２１と電力線埋設区間２８との間に第１電磁接触器２２を備え、これにより電路を遮断するようにしてもよい。次いで、発電機３３からの電力により各電磁接触器２３、２５、２６を閉とすることで、発電機３３により電力が供給されてＬＥＤ照明１２及び水銀灯３０を点灯することができる。この場合、雷が発生している場合には、ＬＥＤ照明１２側の回路を開として水銀灯３０のみで照明を行えばよいが、雷が発生していない場合には、水銀灯３０側の回路を開としてＬＥＤ照明１２で照明した方が、消費電力の削減や瞬時点灯の観点において好ましい。
【００２０】
上記説明した各電気回路パターンの切換は、管理棟１３内に操作盤を設け、これにスイッチやキー等を設けて各電気回路パターンを切換えるように回路構成する。また、雷検知装置を設け、これからの信号により雷発生時に自動的に各電気回路パターンが切換わるようにすることもできる。
【符号の説明】
【００２１】
１０  滑走コース
１１  支柱
１２  ＬＥＤ照明
１３  管理棟
１４  電力線
２０  商用電源
２１  第１遮断器
２２  第１電磁接触器
２３  第２電磁接触器
２４  コンバーター
２５  第３電磁接触器
２６  第４電磁接触器
２７  接地
２８  電力線埋設区間
２９  第５電磁接触器
３０  水銀灯
３１  第６電磁接触器
３２  接地
３３  発電機
３４  第２遮断器 
４０  ゲレンデ
【図１】
0006695588.tif 000002
【図２】
0006695588.tif 000003
【図３】
0006695588.tif 000004
【図４】
0006695588.tif 000005